【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
映像データを復号するための方法であって、
１つ以上のプロセッサを備えるデバイスによって、残差データに関連する変換係数に関する第１の有意性情報を復号することと、ここにおいて、前記第１の有意性情報は、第１のサブブロックが少なくとも１つのゼロでない係数を備えるかどうかを示し、前記第１のサブブロックは、変換ブロック全体のサブブロックであり、前記第１の有意性情報を復号することは、前記第１の有意性情報に対して第１の算術的復号動作を行うことと、前記第１のサブブロックと同じサイズの右の近隣サブブロックおよび前記第１のサブブロックと同じサイズの下方の近隣サブブロックの有意性情報に基づいて、前記第１の算術的復号動作のためのコンテキストを決定することと、を備える、
１つ以上のプロセッサを備える前記デバイスによって、第２の有意性情報を復号することと、ここにおいて、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報を復号することは、前記第１の算術的復号動作のために決定された前記コンテキストを使用して前記第２の有意性情報に対して第２の算術的復号動作を行うことを備え、前記第２のサブブロックは、サイズが少なくとも２×２ブロックであり、前記第１のサブブロックは、前記第２のサブブロックよりも大きい、
１つ以上のプロセッサを備える前記デバイスによって、第３の有意性情報を復号することと、ここにおいて、前記第３の有意性情報は、前記第２のサブブロックの個々の係数がゼロでない係数を備えるかどうかを示す、
前記第１の有意性情報、前記第２の有意性情報、および前記第３の有意性情報に基づいて、残差ブロックを生成することと、
映像データの再構築されたブロックを形成するために、予測ブロックに前記残差ブロックを加算することと、
映像データの前記再構築されたブロックを出力することと、
を備える、方法。
【請求項２】
前記第１のサブブロックは、４×４ブロックであり、前記第２のサブブロックは、２×２サブブロックである請求項１に記載の方法。
【請求項３】
映像データを復号するためのデバイスであって、
前記映像データに関連する残差データを格納するように構成されたメモリと、
前記メモリに結合され、１つ以上のプロセッサを備える映像復号器と、
を備え、前記映像復号器は、
前記残差データに関連する変換係数に関する第１の有意性情報を復号することと、ここにおいて、前記第１の有意性情報は、第１のサブブロックが少なくとも１つのゼロでない係数を備えるかどうかを示し、前記第１のサブブロックは、変換ブロック全体のサブブロックであり、前記第１の有意性情報を復号するために、前記映像復号器は、前記第１の有意性情報に対して第１の算術的復号動作を行い、前記第１のサブブロックと同じサイズの右の近隣サブブロックおよび前記第１のサブブロックと同じサイズの下方の近隣サブブロックの有意性情報に基づいて、前記第１の算術的復号動作のためのコンテキストを決定する、
第２の有意性情報を復号することと、ここにおいて、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報を復号するために、前記映像復号器は、前記第１の算術的復号動作のために決定された前記コンテキストを使用して前記第２の有意性情報に対して第２の算術的復号動作を行い、前記第２のサブブロックは、サイズが少なくとも２×２ブロックであり、前記第１のサブブロックは、前記第２のサブブロックよりも大きい、
第３の有意性情報を復号することと、ここにおいて、前記第３の有意性情報は、前記第２のサブブロックの個々の係数がゼロでない係数を備えるかどうかを示す、
前記第１の有意性情報、前記第２の有意性情報、および前記第３の有意性情報に基づいて、残差ブロックを生成することと、
映像データの再構築されたブロックを形成するために、予測ブロックに前記残差ブロックを加算することと、
映像データの前記再構築されたブロックを出力することと、
を行うように構成される、
デバイス。
【請求項４】
前記第１のサブブロックは、４×４ブロックであり、前記第２のサブブロックは、２×２サブブロックである請求項３に記載のデバイス。
【請求項５】
前記デバイスは、
集積回路、
マイクロプロセッサ、または
前記映像復号器を含む無線通信デバイス、
のうちの少なくとも１つを備える請求項３に記載のデバイス。
【請求項６】
非一時的なコンピュータによって読み取り可能な記憶媒体であって、１つ以上のプロセッサによって実行されたときに、前記１つ以上のプロセッサに、
残差データに関連する変換係数に関する第１の有意性情報を復号させる命令と、ここにおいて、前記第１の有意性情報は、第１のサブブロックが少なくとも１つのゼロでない係数を備えるかどうかを示し、前記第１のサブブロックは、変換ブロック全体のサブブロックであり、前記第１の有意性情報を復号するために、前記命令は、前記１つ以上のプロセッサに、前記第１の有意性情報に対して第１の算術的復号動作を行わせ、前記第１のサブブロックと同じサイズの右の近隣サブブロックおよび前記第１のサブブロックと同じサイズの下方の近隣サブブロックの有意性情報に基づいて、前記第１の算術的復号動作のためのコンテキストを決定させる、
第２の有意性情報を復号させる命令と、ここにおいて、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報を復号するために、前記命令は、前記１つ以上のプロセッサに、前記第１の算術的復号動作のために決定された前記コンテキストを使用して前記第２の有意性情報に対して第２の算術的復号動作を行わせ、前記第２のサブブロックは、サイズが少なくとも２×２ブロックであり、前記第１のサブブロックは、前記第２のサブブロックよりも大きい、
第３の有意性情報を復号させる命令と、ここにおいて、前記第３の有意性情報は、前記第２のサブブロックの個々の係数がゼロでない係数を備えるかどうかを示す、
前記第１の有意性情報、前記第２の有意性情報、および前記第３の有意性情報に基づいて、残差ブロックを生成させる命令と、
映像データの再構築されたブロックを形成するために、予測ブロックに前記残差ブロックを加算させる命令と、
映像データの前記再構築されたブロックを出力させる命令と、
を格納する、非一時的なコンピュータによって読み取り可能な記憶媒体。
【請求項７】
前記第１のサブブロックは、４×４ブロックであり、前記第２のサブブロックは、２×２サブブロックである請求項６に記載の非一時的なコンピュータによって読み取り可能な記憶媒体。
【請求項８】
コンテキスト割り当てパターンは、前記第１のサブブロック内の前記第２のサブブロックの位置に基づく請求項６に記載の非一時的なコンピュータによって読み取り可能な記憶媒体。
【請求項９】
映像データを復号するための装置であって、
残差データに関連する変換係数に関する第１の有意性情報を復号するための手段と、ここにおいて、前記第１の有意性情報は、第１のサブブロックが少なくとも１つのゼロでない係数を備えるかどうかを示し、前記第１のサブブロックは、変換ブロック全体のサブブロックであり、前記第１の有意性情報を復号するための前記手段は、前記第１の有意性情報に対して第１の算術的復号動作を行うための手段と、前記第１のサブブロックと同じサイズの右の近隣サブブロックおよび前記第１のサブブロックと同じサイズの下方の近隣サブブロックの有意性情報に基づいて、前記第１の算術的復号動作のためのコンテキストを決定するための手段と、を備える、
第２の有意性情報を復号するための手段と、ここにおいて、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報を復号するための前記手段は、前記第１の算術的復号動作のために決定された前記コンテキストを使用して前記第２の有意性情報に対して算術的復号動作を行うための手段を備え、前記第２のサブブロックは、サイズが少なくとも２×２ブロックであり、前記第１のサブブロックは、前記第２のサブブロックよりも大きい、
第３の有意性情報を復号するための手段と、ここにおいて、前記第３の有意性情報は、前記第２のサブブロックの個々の係数がゼロでない係数を備えるかどうかを示す、
前記第１の有意性情報、前記第２の有意性情報、および前記第３の有意性情報に基づいて、残差ブロックを生成するための手段と、
映像データの再構築されたブロックを形成するために、予測ブロックに前記残差ブロックを加算するための手段と、
映像データの前記再構築されたブロックを出力するための手段と、
を備える、装置。
【請求項１０】
コンテキスト割り当てパターンは、前記第１のサブブロック内の前記第２のサブブロックの位置に基づく請求項９に記載の装置。
【請求項１１】
無線通信デバイスの受信機において前記映像データを受信することと、
前記無線通信デバイスのメモリに前記映像データを格納することと、
前記無線通信デバイスの１つ以上のプロセッサ上で前記映像データを処理することと、
をさらに備える請求項１に記載の方法。
【請求項１２】
前記無線通信デバイスは電話ハンドセットを備え、前記無線通信デバイスの前記受信機において前記映像データを受信することは、前記映像データを備える信号を、無線通信規格にしたがって復調することを備える請求項１１に記載の方法。
【請求項１３】
前記デバイスは、無線通信デバイスを備え、前記デバイスは、前記映像データを受信するように構成された受信機をさらに備える請求項３に記載のデバイス。
【請求項１４】
前記無線通信デバイスは電話ハンドセットを備え、前記受信機は、前記映像データを備える信号を、無線通信規格にしたがって復調するように構成される請求項１３に記載のデバイス。